(57)【特許請求の範囲】
【請求項１】
並列した軽量気泡コンクリート製塗装外壁パネルの目地構造であって、前記軽量気泡コンクリート製塗装外壁パネルは小口面に目地用の段差部が形成され、塗装層がパネルの表面から少なくとも段差部の入隅まで一体に形成されており、前記段差部の側面にはプライマーが塗布されてプライマー層が形成され、前記プライマー層を介して前記段差部側面と接着するように湿式シーリング材が充填されたことを特徴とする軽量気泡コンクリート製塗装外壁パネルの目地構造。
【発明の詳細な説明】
【０００１】
【発明の属する技術分野】
本発明は、予め表面と小口面に形成した目地用の段差部とに塗装層を形成した軽量気泡コンクリート製の塗装外壁パネルの目地構造に関するものである。
【０００２】
【従来の技術】
軽量気泡コンクリート製のパネル（ＡＬＣパネル）であって外壁として利用するＡＬＣパネルでは、表面の塗装状態に応じて耐久性に著しい差が生じることがある。しかし、建物を建築した後、個々の現場毎に塗装を施したのでは塗装工の技能に応じた品質のバラツキが生じるため、表面に予め塗装層を形成したＡＬＣ塗装パネルとして流通している。
【０００３】
また外壁に利用するＡＬＣパネルの小口面には、目地部にシール材を充填するための段差が形成されている。このようなＡＬＣパネルに形成される塗装層は、例えば特許第2700275 号に開示されるように、パネルの表面、及び表面と小口面との交差面まで形成されるのが一般的である。
【０００４】
一方、ＡＬＣパネルを用いて外壁を構成したとき、目地部に湿式シーリングを打設する際にシーリング材と被着面（ＡＬＣパネルの小口面に形成された段差部分の面）との接着強度を確保するために、目地部に対するシーリングの打設に先立って該目地部にプライマーを刷毛塗りすることが行われる。
【０００５】
【発明が解決しようとする課題】
ＡＬＣパネルは多孔質であり吸水性が高い材料であるため、プライマーの塗布に際しては、吸い込みが多くなって作業に手間取り、作業効率が悪く且つ施工管理が困難であるという問題がある。
【０００６】
また充分にプライマーが塗布されていない場合には、シーリング材と被着面との界面で剥離する虞が生じたり、経年劣化によりシーリング材と被着面との界面で剥離が発生し（シール切れ）、水が浸入してＡＬＣパネルの劣化要因になり、且つ漏水事故につながる虞がある。
【０００７】
本発明の目的は、プライマーを塗布する作業を合理化し得る軽量気泡コンクリート製の塗装外壁パネルの目地構造を提供することにある。
【０００８】
【課題を解決するための手段】
上記課題を解決するために本発明に係る軽量気泡コンクリート（ＡＬＣ）製の塗装外壁パネルの目地構造は、並列したＡＬＣ塗装外壁パネルの目地構造であって、前記ＡＬＣ塗装外壁パネルは小口面に目地用の段差部が形成され、塗装層がパネルの表面から少なくとも段差部の入隅まで一体に形成されており、前記段差部の側面にはプライマーが塗布されてプライマー層が形成され、前記プライマー層を介して前記段差部側面と接着するように湿式シーリング材が充填されたものである。
【０００９】
上記ＡＬＣ塗装外壁パネルの目地構造では、ＡＬＣ塗装外壁パネルの塗装層が少なくとも表面から小口面に形成された段差部の入隅まで形成されるため、該ＡＬＣ塗装外壁パネルによって構成した外壁に於ける目地部にプライマーを塗布した場合、パネル本体への浸透が少なくなり、二度塗り等の手間を省いて塗装作業を容易に行うことが出来る。従って、プライマーの使用量を削減することが出来、コストを低減することが出来る。
【００１０】
また経年変化等によりシーリング材と被着面との界面で剥離が発生したような場合であっても、水のパネル本体への浸透を防止することが可能であり、ＡＬＣ塗装外壁パネルの耐久性の向上をはかることが出来る。
【００１１】
【発明の実施の形態】
以下上記ＡＬＣ塗装外壁パネルの目地構造の好ましい実施形態について図を用いて説明する。図１はＡＬＣ塗装外壁パネルの斜視図、図２はＡＬＣ塗装外壁パネルの小口面に形成された段差部を示す部分拡大図、図３は目地部の断面図、図４は目地部の要部拡大図である。
【００１２】
図１、図２に示すＡＬＣ塗装外壁パネルＡは、建物の外壁を構成する際に用いるＡＬＣパネルとして一般に流通しているものと同等の形状と材質を有している。このＡＬＣ塗装外壁パネルＡの幅方向の両側の小口面２であって外表面１側には、長手方向に沿って段差部３が形成されている。また外表面１と段差部３は勾配面４によって接続されている。
【００１３】
段差部３は、勾配面４と連続し且つ外表面１に対し略直角な面からなる側面３ａと、側面３ａと連続し外表面１と略平行な底面３ｂとからなり、側面３ａと底面３ｂとの交差部に入隅３ｃが形成されている。
【００１４】
ＡＬＣ塗装外壁パネルＡの外表面１、勾配面４、少なくとも段差部３に於ける側面３ａの入隅３ｃに至る面には予め塗装層５が形成されている。この塗装層５は、防水性を持った例えば合成樹脂エマルジョン或いは溶液形合成樹脂等の塗料によって形成されている。また塗装層５は、ＡＬＣ塗装外壁パネルＡを製造する段階で工場に於いて形成されるため、高度な品質管理のもとに安定した膜厚を持って形成されている。
【００１５】
上記の如く外表面１から幅方向両側に形成された勾配面４及び段差部３の側面まで塗装層５を形成したＡＬＣ塗装外壁パネルでは、塗装層５によって被覆された面では吸水性がなく、これらの面から水が浸透することがない。
【００１６】
尚、塗装層５は段差部３の底面３ｂまで形成されることが好ましい。しかし、後述するように目地部６に充填したシーリング材７が被着面である段部３の側面３ａとの界面から剥離したような場合であっても、該シーリング材の剥離によって底面３ｂが露出したり、或いは底面３ｂまで水が浸透することはまれであるため、必ずしも底面３ｂに塗装層５が形成されなくとも、目地部６からの水の浸透を防止することが可能である。
【００１７】
次に、上記ＡＬＣ塗装外壁パネルＡの間に形成された目地部６の構成について図３、図４により説明する。
【００１８】
図に於いて、並列したＡＬＣ塗装外壁パネルＡの間に目地部６が構成されている。この目地部６には湿式シーリング材７が充填されており、このシーリング材７によって対向する小口面２の間に形成された間隙を封鎖している。
【００１９】
目地部６にシーリング材７を充填した場合、該シーリング材７の目地部６からの脱落を防止する必要がある。このため、シーリング材７とＡＬＣ塗装外壁パネルＡとの被着面となる段差部３の側面３ａにはプライマー層８が形成され、このプライマー層８によって両者の接着強度を確保している。
【００２０】
上記の如く構成された目地部６では、段差部３の側面３ａが防水性を持った塗装層５によって被覆されているため、プライマーを塗布したとき、塗布されたプライマーがＡＬＣ塗装外壁パネルの内部に浸透することがなく、容易にプライマー層８を形成することが可能である。そして、目地部６に充填されたシーリング材７はプライマー層８を介して段差部３の側面３ａと強固に接着する。
【００２１】
また経年劣化によってシーリング材７が側面３ａから剥離したような場合であっても、該側面３ａに形成された塗装層５によって目地部６からの水の浸透を防止することが可能であり、浸透水によるＡＬＣ塗装外壁パネルＡの劣化を防止することが可能である。
【００２２】
尚、塗装層５を形成する塗料を適宜選定することによって、プライマー層８を形成することなくシーリング材７を接着することが可能であり、且つ接着強度を確保することが可能である。
【００２３】
【発明の効果】
以上詳細に説明したように本発明に係るＡＬＣ塗装外壁パネルの目地構造では、ＡＬＣ塗装外壁パネルの表面から小口面に形成された段差部に於ける少なくとも入隅まで、塗装層が一体的に形成されるため、該段差部に於ける表面側から入隅までの間で水が浸透することがない。このため、目地部を構成し、該目地部にシーリング材を充填する際にプライマーを塗布する場合、塗布したプライマーがパネルの本体に浸透することがなく、容易にプライマー層を形成することが出来る。このため、プライマーの塗布作業が容易となり、プライマーの使用量を削減してコストを低減することが出来、且つ膜厚等の品質を向上することが出来る。
【００２４】
また経年劣化によりシーリング材が目地部を構成する段差部から隔離したような場合であっても、ＡＬＣ塗装外壁パネルの目地部に対応する面には塗装層が形成されているため、該面から水が浸透することがなく、ＡＬＣ塗装外壁パネルの耐久性を向上することが出来る。
【図面の簡単な説明】
【図１】ＡＬＣ塗装外壁パネルの斜視図である。
【図２】ＡＬＣ塗装外壁パネルの小口面に形成された段差部を示す部分拡大図である。
【図３】目地部の断面図である。
【図４】目地部の要部拡大図である。
【符号の説明】
Ａ                            ＡＬＣ塗装外壁パネル
１                            外表面
２                            小口面
３                            段差部
３ａ                          側面
３ｂ                          底面
３ｃ                          入隅
４                            勾配面
５                            塗装層
６                            目地部
７                            シーリング材
８                            プライマー層
【図１】
0004282105.tif 000002
【図２】
0004282105.tif 000003
【図３】
0004282105.tif 000004
【図４】
0004282105.tif 000005